【事件の表示】
　特願２０１４−　４０７０３「起動用プログラム、情報処理装置、および情報処理システム」拒絶査定不服審判事件〔平成２６年　７月３１日出願公開、特開２０１４−１４０２０３〕について、次のとおり審決する。
【結　論】
　本件審判の請求は、成り立たない。
【理　由】
第１　手続の経緯及び本願発明
１　手続の経緯
　本件出願は、２００８年（平成２０年）１０月１日を国際出願日とする出願である特願２００９−５０８０２５号の一部を平成２１年２月２４日に新たな特許出願とした特願２００９−４１０９７号の一部を、更に平成２４年１２月２５日に新たな特許出願とした特願２０１２−２８１０８６号の一部を、更に平成２６年３月３日に新たな特許出願としたものであって、平成２６年４月１日付けで手続補正がなされ、平成２６年５月２６日付けで手続補正がなされ、平成２７年２月２日付けで拒絶理由の通知がなされ、これに対し、平成２７年４月１３日付けで手続補正がなされたが、平成２７年８月１０日付け（発送日同年８月１８日）で拒絶査定がなされた。
　本件は、上記拒絶査定を不服として平成２７年１１月１８日付けで請求された拒絶査定不服審判である。
 　 
２　本願発明
　本願の請求項１〜８に係る発明（以下、それぞれの発明を項番を用いて「本願発明１」等という。）は、平成２６年４月１日付け、平成２６年５月２６日付け、平成２７年４月１３日付け手続補正により補正された特許請求の範囲、明細書及び図面の記載からみて、その特許請求の範囲の請求項１〜８に記載した事項により特定されるとおりのものであるところ、その請求項１〜８の記載は次のとおりのものである。
 　 
「　【請求項１】
　撮像手段を有し、複数のアプリケーションプログラムを記憶可能であり、かつ、当該アプリケーションプログラムとして当該撮像手段による撮影を行う撮影アプリケーションプログラムが記憶された情報処理装置のコンピュータにおいて実行される、当該情報処理装置に予め記憶された情報処理プログラムであって、
　前記複数のアプリケーションプログラムを選択的に起動する第１起動操作を受け付ける第１起動操作受付手段と、
　前記第１起動操作が行われた場合、前記複数のアプリケーションプログラムのうち当該第１起動操作で選択されたアプリケーションプログラムを起動する第１起動手段と、
　前記複数のアプリケーションプログラムのいずれも起動されていない状態で、前記撮影アプリケーションプログラムにおけるシャッタ操作によって、前記撮像手段による撮影機能を起動する簡易起動手段として前記コンピュータを機能させる、起動用プログラム。
　　【請求項２】
　前記第１起動操作受付手段は、タッチパネルを介して前記第１起動操作を受け付け、
　前記シャッタ操作は、前記情報処理装置に設けられたキーに対する操作を含む、請求項１に記載の起動用プログラム。
　　【請求項３】
　前記シャッタ操作は、前記情報処理装置の側面に設けられたキーに対する操作を含む、請求項１に記載の起動用プログラム。
　　【請求項４】
　前記簡易起動手段により撮影機能が起動された状態で撮影操作および保存操作がなされると、当該撮影機能はユーザ操作なしに動作解除される、請求項１〜３のいずれか１項に記載の起動用プログラム。
　　【請求項５】
　前記複数のアプリケーションプログラムのうちいずれかのアプリケーションプログラムが起動されている状態において、前記簡易起動手段による撮影機能の起動は不能化される、請求項１〜４のいずれか１項に記載の起動用プログラム。
　　【請求項６】
　前記簡易起動手段による撮影機能が有効化されている状態において、ユーザのタッチ操作に応答して、前記簡易起動手段による撮影機能に代えて、前記撮影アプリケーションプログラムが起動される、請求項１〜５のいずれか１項に記載の起動用プログラム。
　　【請求項７】
　撮像手段と、
　複数のアプリケーションプログラムを記憶可能な記憶手段とを備え、前記記憶手段には、当該アプリケーションプログラムとして当該撮像手段による撮影を行う撮影アプリケーションプログラムが記憶されており、
　前記複数のアプリケーションプログラムを選択的に起動する第１起動操作を受け付ける第１起動操作受付手段と、
　前記第１起動操作が行われた場合、前記複数のアプリケーションプログラムのうち当該第１起動操作で選択されたアプリケーションプログラムを起動する第１起動手段と、
　前記複数のアプリケーションプログラムのいずれも起動されていない状態で、前記撮影アプリケーションプログラムにおけるシャッタ操作によって、前記撮像手段による撮影機能を起動する簡易起動手段とを備える、情報処理装置。
　　【請求項８】
　情報処理システムであって、
　撮像手段を含む情報処理装置と、
　前記情報処理装置に装着される１つまたは複数のアプリケーションを記憶可能な記憶装置とを備え、
　前記情報処理システムは、複数のアプリケーションプログラムを記憶可能であり、かつ、当該アプリケーションプログラムとして当該撮像手段による撮影を行う撮影アプリケーションプログラムが記憶されており、
　前記情報処理装置は、
　前記複数のアプリケーションプログラムを選択的に起動する第１起動操作を受け付ける第１起動操作受付手段と、
　前記第１起動操作が行われた場合、前記複数のアプリケーションプログラムのうち当該第１起動操作で選択されたアプリケーションプログラムを起動する第１起動手段と、
　前記複数のアプリケーションプログラムのいずれも起動されていない状態で、前記撮影アプリケーションプログラムにおけるシャッタ操作によって、前記撮像手段による撮影機能を起動する簡易起動手段とを含む、情報処理システム。」
　　
３　本願発明１の分説
　本願発明１を分説すると次のとおりである。
　　
（本願発明１）
（Ａ）撮像手段を有し、複数のアプリケーションプログラムを記憶可能であり、かつ、当該アプリケーションプログラムとして当該撮像手段による撮影を行う撮影アプリケーションプログラムが記憶された情報処理装置のコンピュータにおいて実行される、当該情報処理装置に予め記憶された情報処理プログラムであって、
（Ｂ-1）前記複数のアプリケーションプログラムを選択的に起動する第１起動操作を受け付ける第１起動操作受付手段と、
（Ｂ-2）前記第１起動操作が行われた場合、前記複数のアプリケーションプログラムのうち当該第１起動操作で選択されたアプリケーションプログラムを起動する第１起動手段と、
（Ｂ-3）前記複数のアプリケーションプログラムのいずれも起動されていない状態で、前記撮影アプリケーションプログラムにおけるシャッタ操作によって、前記撮像手段による撮影機能を起動する簡易起動手段として前記コンピュータを機能させる、
（Ｂ）起動用プログラム。
　　
（（Ａ）、（Ｂ-1）〜（Ｂ-3）、（Ｂ）は、当審で付与した。以下各構成要件を「構成要件Ａ」等という。）
　　
第２　引用文献の記載事項及び引用文献に記載された発明
１　引用文献２
（１）引用文献２の記載事項
　原査定における拒絶の理由に引用された「本田  雅樹，ｉ  ＭＯＤＥ  ｆａｎ  Ｓｐｅｃｉａｌ  Ａｄｄｉｔｉｏｎ  Ｎ５０４ｉＳ便利機能操作マニュアル  i MODE f，ｉＭＯＤＥ  ＦａＮ  １２／２０号，日本，（株）毎日コミュニケーションズ，２００２年１２月２０日，第９巻　第３５号，第６、１１，１６頁」（以下「引用文献２」という。）は、次のとおりである。
　　
「
」
　　
（２）引用文献２に記載された発明
（ア）１１頁の上部の記載からＮ５０４ｉＳは携帯電話である。
（イ）そして、６頁の記載からＮ５０４ｉＳは、「Ｍｅｎｕ」ボタンを押してメニューの一覧を表示させ、メニュー一覧の中の「カメラ」を選択し、決定すると「カメラモード」になる。「カメラモード」はカメラを起動し撮影を行うモードである。
（ウ）また、Ｎ５０４ｉＳは「シャッタボタン」を有し、「シャッタボタン」を押すと撮影できる(６頁）。
（エ） メニューから「カメラモード」にする方法のほかに本体の側面の「メモ／確認」ボタンを長押ししてカメラを起動することができる（６頁）。
（オ）当該携帯電話は、カメラを起動し撮影することができるから、撮像手段を有していることは明らかである。
（カ）携帯電話は、通常ＣＰＵを有し、上記のような動作は、プログラムにより行われるものと認められる。
（キ）６頁の中段に４つの図が記載されているが、そのうち左から２つめの図面において、四角で囲まれた「ＭＥＮＵ」の下に６つの四角が記載されている。そのうち丸で囲まれた上段の真ん中の四角は「カメラ」である。「カメラ」の左の四角は「ｉアプリ」、「カメラ」の右の四角は「マルチメディア」、下段の四角は，左から「各種設定」、「ツールＢＯＸ」、「ユーザデータ」である。
　「カメラ」を選択し、決定すると、「カメラモード」になるのであるから、他の四角を選択し、決定すると、それぞれの四角に対応した「モード」になるものと認められる。
（ク）１６頁によると、「ｉアプリメニュー」の中には、複数のプログラムがあり、選択をすることで、そのプログラムを起動できることが理解できる。
　また、１１頁における「アクセスリーダー」は、Ｎ５０４ｉＳに記憶されているプログラムであることが理解できる。
　　
　ここで、引用文献２に記載された発明として、携帯電話のＣＰＵにおいて実行されるプログラムを発明として認定する。
　　
　上記（ア）、（ウ）、（オ）より、携帯電話は、シャッタボタンと撮像手段を有する。
　上記（イ）、（キ）、（ク）より、携帯電話は、複数のプログラムが記録可能である。
　上記（イ）、（オ）より、撮像手段により撮影を行う撮影プログラムが記録されている。
　上記（イ）、（カ）、（キ）、（ク）より、携帯電話においては、「Ｍｅｎｕ」ボタンを押してメニュー一覧を表示させ、その後プログラムを選択し、プログラムを起動するものであるから、「複数のプログラムを選択的に起動する起動操作を受け付ける起動操作受付手段と、起動操作が行われた場合、前記複数のプログラムのうち当該起動操作で選択されたプログラムを起動する起動手段として」ＣＰＵを機能させるプログラムが記載されているといえる。
　上記（エ）、（カ）より、携帯電話においては、本体の側面の「メモ／確認」ボタンを長押しして、カメラモードを起動する起動手段として」ＣＰＵを機能させるプログラムが記載されているといえる。
　　
　以上まとめると、引用文献２には、次の発明（以下「引用発明」という。）が記載されていると認められる。
　　
（引用発明）
（ａ）シャッタボタンと撮像手段を有し、複数のプログラムを記憶可能であり、かつ、当該プログラムとして当該撮像手段により撮像を行う撮影プログラムが記憶された携帯電話のＣＰＵによって実行される、当該携帯電話に記憶されたプログラムであって、
（ｂ-1）複数のプログラムを選択的に起動する起動操作を受け付ける起動操作受付手段と、
（ｂ-2）起動操作が行われた場合、前記複数のプログラムのうち当該起動操作で選択されたプログラムを起動する起動手段と、
（ｂ-3）本体の側面の「メモ／確認」ボタンを長押しして、カメラモードを起動する起動手段として前記ＣＰＵを機能させる
（ｂ）プログラム。
　　
　なお、（ａ）、（ｂ-1）〜（ｂ-3）、（ｂ）は、構成を識別するために付与した。以下各構成を「構成ａ」等という。
　　
２　周知技術
（１）原査定における拒絶の理由に引用された特開２００５−３０３５６１号公報（以下「引用文献１」という。）には、「移動体端末装置」（発明の名称）に関し、図面と共に次に掲げる事項が記載されている（下線は当審が付与した。）。
　　
「【００１８】
・・・操作部２６には、モードを切り換えるモード切換スイッチ２８と、
レリーズボタン
　　
「【００２８】
　メインＣＰＵ１７は、操作部２６からのモード選択信号に基づいて撮像した画像データ又は受信した動画データのうちの何れか一方をＬＣＤパネル２３に表示するように制御する。
撮影モードを選択すると
シャッタレリーズに応答して得た静止画の画像データを圧縮して第１メモリカード３２に記録する
『【００３１】
　そこで、図２に示すように、
テレビ放送を表示中にレリーズボタン２９の半押し操作を行うと、
撮影モードを実行し
　　
（２）原査定における拒絶の理由に引用された特開２００６−３３３２８号公報（以下「引用文献３」という。）には、「携帯電話端末装置」（発明の名称）に関し、図面と共に次に掲げる事項が記載されている（下線は当審が付与した。）。
　　
「【００４４】
　図７は、ＡＶボタン１３１が押下されたときに実行される処理例を示す。この処理は主制御部２５０のプログラム制御により実現される。
ＡＶボタン１３１が押下されたとき
「長押し」であればカメラ撮影モードへ移行する
「短押し」であれば、音楽再生モードへ移行する
カメラ撮影モード
このＡＶボタン１３１の押下はカメラ撮影機能のシャッタボタンの押下であると判断して、シャッタ動作を実行する
　　
（３）周知技術
　引用文献１における「レリーズボタン」、引用文献３における「ＡＶボタン」は、「シャッタボタン」に相当する。
　したがって、撮影モードにおいては、シャッタボタンの操作により撮影を行い、撮影モード以外においては、シャッタボタンを他の機能を動作させるボタンとして使用することは、周知技術と認められる。
第３　対比・判断
１　本願発明１
（１）対比
　本願発明１と引用発明とを対比する。
　　
ア　構成要件Ａと構成ａとを対比する。
　構成ａの「撮像手段」、「プログラム」、「ＣＰＵ」は、各々、構成要件Ａの「撮像手段」、「アプリケーションプログラム」、「コンピュータ」に相当する。構成ａの「携帯電話」は、ＣＰＵを有し、プログラムを実行するものであるから、「情報処理装置」といえ、また、構成ａの「プログラム」は「情報処理プログラム」といえる。
　構成ａの「撮影プログラム」は、構成要件Ａの「撮影アプリケーションプログラム」に相当する。
　したがって、本願発明１と引用発明とは、「撮像手段を有し、複数のアプリケーションプログラムを記憶可能であり、かつ、当該アプリケーションプログラムとして当該撮像手段による撮影を行う撮影アプリケーションプログラムが記憶された情報処理装置のコンピュータにおいて実行される、当該情報処理装置に予め記憶された情報処理プログラムで」である点で一致する。
　　
イ　構成要件Ｂ-1、Ｂ-2と構成ｂ-1、ｂ-2とを対比する。
　構成ｂ-1、ｂ-2の「プログラム」は構成要件Ｂ-1、Ｂ-2の「アプリケーションプログラム」に相当し、構成ｂ-1の「起動操作」は「第１起動操作」ともいえる。
　したがって、本願発明１と引用発明とは、「前記複数のアプリケーションプログラムを選択的に起動する第１起動操作を受け付ける第１起動操作受付手段と、前記第１起動操作が行われた場合、前記複数のアプリケーションプログラムのうち当該第１起動操作で選択されたアプリケーションプログラムを起動する第１起動手段と、」して前記コンピュータを機能させるプログラムとして一致する。
　　
ウ　構成要件Ｂ-3と構成ｂ-3とを対比する。
　構成ｂ-3は、『本体の側面の「メモ／確認」ボタンを長押しして、カメラモードを起動する起動手段として前記ＣＰＵを機能させる』ものであって、「カメラモードを起動する起動手段」は、「前記撮像手段による撮影機能を起動する起動手段」といえる。
　そして、『本体の側面の「メモ／確認」ボタンを長押しして、カメラモードを起動する』ことは、上記イのような起動に比べ簡易な起動といえる。
　また、『本体の側面の「メモ／確認」ボタンを長押し』することは、「操作」といえる。
　したがって、本願発明１と引用発明とは、「操作によって、前記撮像手段による撮影機能を起動する簡易起動手段として前記コンピュータを機能させる」プログラムとして共通する。
　しかしながら、「操作」が、
　本願発明１においては、「前記撮影アプリケーションプログラムにおけるシャッタ操作」であるのに対し、引用発明においては、「前記撮影アプリケーションプログラムにおけるシャッタ操作」でなく、
　さらに、本願発明１においては、「前記複数のアプリケーションプログラムのいずれも起動されていない状態で、」操作が行われるのに対し、引用発明においては、そのように特定されていない点で相違する。
　　
オ　構成要件Ｂと構成ｂとを対比する。
　上記イ〜エのとおり、引用発明における「プログラム」も「起動用プログラム」といえる。
　したがって、本願発明１と引用発明とは、「起動用プログラム」として、一致する。
　　
（２）一致点、相違点
　以上より、本願発明１と引用発明との一致点、相違点は、次のとおりである。
　　
（一致点）
　撮像手段を有し、複数のアプリケーションプログラムを記憶可能であり、かつ、当該アプリケーションプログラムとして当該撮像手段による撮影を行う撮影アプリケーションプログラムが記憶された情報処理装置のコンピュータにおいて実行される、当該情報処理装置に予め記憶された情報処理プログラムであって、
　前記複数のアプリケーションプログラムを選択的に起動する第１起動操作を受け付ける第１起動操作受付手段と、
　前記第１起動操作が行われた場合、前記複数のアプリケーションプログラムのうち当該第１起動操作で選択されたアプリケーションプログラムを起動する第１起動手段と、
　操作によって、前記撮像手段による撮影機能を起動する簡易起動手段として前記コンピュータを機能させる、
　起動用プログラム。
　　
（相違点）
　「操作」が、
　本願発明１においては、「前記撮影アプリケーションプログラムにおけるシャッタ操作」であるのに対し、引用発明においては、「前記撮影アプリケーションプログラムにおけるシャッタ操作」でなく、
　さらに、本願発明１においては、「前記複数のアプリケーションプログラムのいずれも起動されていない状態で、」操作が行われるのに対し、引用発明においては、そのように特定されていない点　　
　　
（３）判断
　ボタンに複数の機能を持たせることは、よく知られた技術であり、シャッタボタンを撮影モード以外では、他の機能を動作させるボタンとして使用することは、上記第２の２のとおり周知技術である。
　引用発明においては、メモ／確認ボタンを兼用し、このボタンをカメラモードを動作させるボタンとして使用している。周知技術を勘案して、引用発明において、シャッタボタンをカメラモードを動作させるボタンとして使用することは、当業者が容易に着想することである。
　そうすると、引用発明において、「前記撮影アプリケーションプログラムにおけるシャッタ操作」によって、前記撮像手段による撮影機能を起動するようにすることは、当業者が容易に想到し得ることである。
　引用発明においては、カメラモード以外の状態では、メモ／確認ボタンを長押しすることによりカメラモードになるものであるから、「前記複数のアプリケーションプログラムのいずれも起動されていない状態」においても、同様である。
　したがって、上記のような容易想到の構成において、「前記複数のアプリケーションプログラムのいずれも起動されていない状態」においても、「前記撮影アプリケーションプログラムにおけるシャッタ操作」によって、前記撮像手段による撮影機能を起動することは明らかである。
　よって、引用発明に周知技術を適用して、「前記複数のアプリケーションプログラムのいずれも起動されていない状態で、」「前記撮影アプリケーションプログラムにおけるシャッタ操作」によって、前記撮像手段による撮影機能を起動するようにすることは、当業者が容易に想到し得ることである。
　　
　以上のとおり、本願発明１は、引用文献２に記載された発明及び周知技術に基づいて当業者が容易に発明をすることができたものとは認められる。
　　
　請求人は、審判請求書において、
『引用文献２に記載の発明は、同一の「カメラモード」を２種類の操作で起動できる利便性に着目した構成であり、仮に、引用文献２の構成において、
本願発明のように、それぞれの操作の別に異なる「カメラモード」
と主張している。
　上記下線部分のように、請求人は、本願発明が、それぞれの操作の別に異なる「カメラモード」を有していると主張しているが、請求項１においては、「複数のアプリケーションプログラムのいずれも起動されていない状態で、撮影アプリケーションプログラムにおけるシャッタ操作によって、撮像手段による撮影機能を起動する簡易起動手段」と記載されているだけで、「撮像手段による撮影機能」については、何ら限定されていないのであるから、「撮像手段による撮影を行う撮影アプリケーションプログラム」と異なるものであると特定されているものではない。
　したがって、請求人の主張は、特許請求の範囲に基づかない主張であり、採用できない。
　　
第５　むすび
　以上のとおり、本願の請求項１に係る発明は、引用文献２に記載された発明及び周知技術に基づいて当業者が容易に発明をすることができたものであるので、特許法第２９条第２項の規定により特許を受けることができない。
　　
　したがって、本願は、他の請求項について検討するまでもなく、拒絶すべきものである。
　　
　よって、結論のとおり審決する。